(57)【要約】【課題】本発明は、仕切り壁からはみ出した遊技機用ケース壁面からの不正侵入を防ぐ手段を備えた遊技島における遊技機内侵入防止機構及び遊技機内侵入防止板並びに遊技機内侵入防止機能を備えた遊技機用ケースを提供することを目的とするものである。【解決手段】本発明は、電源ボックスが設置される側の遊技機用ケース９側面に接する仕切り壁３に、少なくとも仕切り壁３よりはみ出る遊技機用ケース９側面を侵入防止板５によって覆うことで電動ドリルなどによる不正な侵入及び蝶番近傍からのピアノ線などによる不正な侵入を防止する構成とするものである。【選択図】      図２
2004201924.tif 000002
【特許請求の範囲】
【請求項１】
仕切り壁との間に遊技機用収納部が形成される遊技島において、
電源ボックスが設置される側の遊技機用ケース側面に接する仕切り壁に、少なくとも仕切り壁よりはみ出る遊技機用ケース側面を侵入防止板によって覆う防護手段を備える
ことを特徴とする遊技島における遊技機内侵入防止機構。
【請求項２】
前記侵入防止板が前記遊技機用ケースの前面開閉扉の蝶番部分を覆う如く延設した
ことを特徴とする請求項１記載の遊技島における遊技機内侵入防止機構。
【請求項３】
仕切り壁との間に遊技機用収納部が形成される遊技島において、
少なくとも仕切り壁よりはみ出る遊技機用ケース側面を覆う面積を有する侵入防止板と、
該仕切り壁との取付けを可能とした取付け手段とを備える
ことを特徴とする遊技機内侵入防止板。
【請求項４】
前記侵入防止板に遊技機用ケースの前面開閉扉の蝶番部分を覆うための覆板を延設した
ことを特徴とする請求項３記載の遊技機内侵入防止板。
【請求項５】
電源ボックスが設置される側の遊技機用ケースの外壁面において、
少なくとも仕切り壁よりはみ出る遊技機用ケース側面を覆う侵入防止板を設けた
ことを特徴とする遊技機内侵入防止機能を備えた遊技機用ケース。
【請求項６】
前記侵入防止板に遊技機用ケースの前面開閉扉の蝶番部分を覆うための覆板を延設した
ことを特徴とする請求項５記載の遊技機内侵入防止機能を備えた遊技機用ケース。
【発明の詳細な説明】
【０００１】
【発明の属する技術分野】
本発明は、遊技島における遊技機内侵入防止機構及び遊技機内侵入防止板並びに遊技機内進入防止機能を備えた遊技機用ケースに関する。詳しくはコインを使用する遊技機（例えば、スロットマシンなど）内への不正による侵入を防止する遊技島における遊技機内侵入防止機構及び遊技機内侵入防止板並びに遊技機内侵入防止機能を備えた遊技機用ケースに係るものである。
【０００２】
【従来の技術】
従来よりパチンコやスロットマシンなどの遊技機は、ホールに設置された遊技島と呼ばれる設備の両面又は片面に複数並べて設けられる。この遊技島は例えばスロット遊技の場合には、スロットマシンが十数台あるいはそれ以上取り付けられる横長のもので、遊技島のほぼ全長に亘ってコインの循環流路が連続する共通のコイン循環装置が設けられ、このコイン循環装置によって、各スロットマシンからオバーフローしたコインを回収するとともに、賞出用のコインを各スロットマシンのコイン排出装置に補給できるように構成されている。
【０００３】
そこで具体的には図６に示すように、遊技島１０１の両面又は片面に一定幅を有する仕切り壁１０２が遊技機の幅ごとに設けられており、この各仕切り壁１０２との間に形成される奥行きを有する遊技機収納部１０３内へスロットマシンなどの遊技機１０４がそれぞれ嵌め込まれ設置されるものである。
【０００４】
一方、スロットマシン等の遊技機の多くは、各部機構の制御、入賞の確率処理などを含め、その遊技機全体のコントロールがコンピューターの制御のもとで行われる。このため、コンピューターを使用する遊技機では、入賞の確率の設定の変更を行う電気回路や電源のＯＮ・ＯＦＦ回路、又はコインを強制的に払い出す電気回路を収納した電源ボックスを開いて回路を故意にショートさせて不正にコインの払出しを行う不正行為が行われる問題があった。
【０００５】
そこでこのような不正行為を防止することを目的とした図７に示すような遊技機がある（例えば、特許文献１参照。）。この不正行為防止機構は、制御用の主基板１０５と、主基板が内部に設置される主基板ケース１０６とを有し、主基板に対する不正変更使用行為は排除するよう、該主基板ケース１０５を閉めたら壊れるまで開きにくくなるようにする手段を、一または二以上備えた構成とするものである。
【０００６】
【特許文献１】
特開平１１−１９７２９１号公報（第１図）
【０００７】
【発明が解決しようとする課題】
しかしながら前述の電源ボックスは図８に示すように遊技機用ケース１０７内の一側面に取り付けられることが多く、この遊技機用ケース１０７内壁面に接する部分の殆どが開口状、あるいは何ら防御手段を備えない状態でネジなどによって取り付けられている。
【０００８】
一方、前述の図６に示すように遊技島１０１の各仕切り壁１０２との間に設置される遊技機１０４は、その遊技機用ケース１０７の一部分が仕切り壁１０２よりはみ出した状態となる。また、遊技機用ケース１０７は重量を軽減させるために、その多くは木製によって製作されている。
【０００９】
そこで最近では仕切り壁よりはみ出した遊技機用ケースの側壁面よりドリルによって穴を開けて、電源ボックス内と連通状としてピアノ線等によって侵入して不正行為をする事件が続発している。
また、遊技機用ケースの前面開閉扉の蝶番近傍の隙間からピアノ線等によって侵入して不正行為をする場合も多々ある。
【００１０】
本発明は、以上の点に鑑みて創案されたものであって、仕切り壁からはみ出した遊技機用ケース壁面からの不正侵入を防ぐ手段を備えた遊技島における遊技機内侵入防止機構及び遊技機内侵入防止板並びに遊技機内侵入防止機能を備えた遊技機用ケースを提供することを目的とするものである。
【００１１】
【課題を解決するための手段】
上記の目的を達成するために、本発明に係る遊技島における遊技機内侵入防止機構は、仕切り壁との間に遊技機用収納部が形成される遊技島において、電源ボックスが設置される側の遊技機用ケース側面に接する仕切り壁に、少なくとも仕切り壁よりはみ出る遊技機用ケース側面を侵入防止板によって覆う防護手段を備える。
【００１２】
ここで、仕切り壁との間の遊技機用収納部内へ遊技機を設置する前に、仕切り壁面に沿って仕切り壁よりはみ出る遊技機用ケース側面を覆う侵入防止板を取り付けることにより、前記遊技機用収納部内へ遊技機を設置した場合に、仕切り壁面よりはみ出る遊技機用ケース側面が侵入防止板より覆われた状態となる。
【００１３】
この進入防止板は鋼板などにより形成され、電動ドリルによって穴を開けることができない厚さと硬さを有することにより、主基板が収納されるケース内への不正侵入を防止することが可能となる。
【００１４】
また、上記の目的を達成するために、本発明に係る遊技機内進入防止板は、仕切り壁との間に遊技機用収納部が形成される遊技島において、少なくとも仕切り壁よりはみ出る遊技機用ケース側面を覆う面積を有する侵入防止板と、該仕切り壁との取付けを可能とした取付け手段とを備える。
【００１５】
ここで、進入防止板は鋼板などにより形成され、電動ドリルによって穴を開けることができない厚さと硬さを有する。更に仕切り壁に沿って取付けができるように、例えば侵入防止板の下端に水平状に折曲形成し、ネジ穴を開設した取付け手段を設けことで、仕切り壁との間の遊技機用収納部内へ遊技機を設置する前に容易に取付けが可能となる。
【００１６】
また、上記の目的を達成するために、本発明に係る遊技機内侵入防止機能を備えた遊技機用ケースは、電源ボックスが設置される側の遊技機用ケースの外壁面において、少なくとも仕切り壁よりはみ出る遊技機用ケース側面を覆う侵入防止板を設ける。
【００１７】
ここで、侵入防止板は鋼板などにより形成され、電動ドリルによって穴を開けることができない厚さと硬さを有するものであり、電源ボックスが設置される側の遊技機用ケースの外壁面に取付けるものである。
【００１８】
【発明の実施の形態】
以下、本発明の実施の形態を図面を参酌しながら説明し、本発明の理解に供する。
【００１９】
図１に、本発明を適用した遊技島における遊技機内侵入防止機構の一例を示すために進入防止板の取付け状態を示す斜視図、図２に遊技機を設置した状態を示す側面図を示す。
ここで示す遊技島１は、遊技機（図示せず。）が載せられるテーブル２上に遊技機幅ごとに仕切り壁３が設けられ、この仕切り壁３間に遊技機用収納部４が形成される。
【００２０】
そこで遊技機を仕切り壁３間の遊技機用収納部４内に設置をする前に、電源ボックスが設置される側の仕切り壁３面に対して侵入防止板５を取付けるものである。
【００２１】
この侵入防止板５は、その下端に水平状に折曲形成された取付け板６が設けられ、更に取付け板６にはネジ穴７が貫設された構成とするものである。従って侵入防止板５を仕切り壁３からはみ出る遊技機用ケース（図示せず。）の側面および前面扉の蝶番を覆う長さ分だけ出した状態で、ネジなどによって固定するものである。
【００２２】
そして図２に示すように侵入防止板５を仕切り壁３に取付けた状態で遊技機用収納部４内へ遊技機８を嵌め込み設置することによって仕切り壁３より突出する侵入防止板５により遊技機用ケース９の側面から前面扉の蝶番までを覆うことが可能となる。
【００２３】
次に図３は、本発明を適用した遊技機内侵入防止板の一例を示すための斜視図である。
ここで示す侵入防止板５は、電動ドリルによって穴を開けることができない厚さと硬さを有する鋼板より形成される。そして侵入防止板５の下端には水平状に折曲形成した取付け板６が形成されるものであり、この取付け板６にはネジ穴７が所要数貫設される。
【００２４】
また、仕切り壁より突出する部分の侵入防止板５を鋼板による２枚重ねとした構成とすることにより電動ドリルによる遊技機用ケース内への穴開けを確実に防ぐことが可能となる。
【００２５】
次に図４は、本発明を適用した遊技機内侵入防止機能を備えた遊技機用ケースの一例を示すための側面説明図である。
ここで遊技機用ケース９の電源ボックスが設置される側の遊技機用ケース９の外壁面に対して電動ドリルによって穴を開けることができない厚さと硬さを有する鋼板より形成される侵入防止板５によって覆設するものである。
【００２６】
そこで侵入防止板５は仕切り壁よりはみ出る遊技機用ケース９の外壁面より遊技機用ケース９の前面開閉扉１０との蝶番により連結部分を覆うまでの長さとするものである。
【００２７】
ここで、侵入防止板は必ずしも鋼板で形成される必要性は無く、電動ドリルなどの工具によって穴を開けることができない厚さおよび素材のもの、例えばステンレス板や硬質合成樹脂板などのいかなるものであっても良いが、薄くても充分に防護できる鋼板によって形成される方が好ましい。
【００２８】
また、侵入防止板に設けられる取付け手段は必ずしも侵入防止板の下端に水平状に折曲した取付け板を形成する必要性は無く、例えば侵入防止板にネジ穴を設けて仕切り壁又は遊技機用ケースの外壁面に直接に取付ける手段や接着剤や両面テープなどによって取付けるようにしても構わない。
【００２９】
以上の構成より成る本発明では図５に示すように、電源ボックス１１が遊技機用ケース９内の内壁面に取付けられており、この電源ボックス１１が設置される側の遊技機用ケース９の外壁面が侵入防止板５によって覆われた状態となる。
【００３０】
更に遊技機用ケースと前面開閉扉に連結枢支される蝶番による連結部分をも進入防止板５によって覆われることとなる。
【００３１】
従って仕切り壁からのはみ出し部分の遊技機用ケース９の外壁面に電動ドリル等によって穴を開けて電源ボックス１１内へ侵入しようとする不正行為は侵入防止板５によって防護することが可能となる。
【００３２】
更に遊技機用ケースと前面開閉扉との隙間からのピアノ線などによる侵入により不正行為を侵入防止板５によって防護することが可能となる。
【００３３】
本発明を適用した遊技島における遊技機内侵入防止機構では、遊技機を遊技島に設置する前に、予め仕切り壁に侵入防止板を取付けることによって遊技機内部に侵入防止機構を取り付けるのに比べて容易、かつ作業効率の向上が図れることとなる。
【００３４】
また、本発明を適用した遊技機内侵入防止板では、電動ドリルなどの穴開け行為を完全に防護することができると共に、不正行為者が侵入防止板が取り付けられているのを見ることによって不正行為を抑止する効果を得ることができる。
【００３５】
また、本発明を適用した遊技機内侵入防止機能を備えた遊技機用ケースでは、遊技機用ケースの外壁面に侵入防止板を取り付けることによって遊技島の形態に合わせることなく遊技機の設置を行うことが可能となる。
【００３６】
【発明の効果】
以上述べて来た如く本発明によれば、予め侵入防止板を遊技島の仕切り壁に取付けることによって、頻繁に行われる遊技機の交換の場合でも何ら手間をかけることなく遊技機の設置が行えると共に、電動ドリルなどの不正行為を未然に防ぐことが可能となる。
【００３７】
また、侵入防止板を遊技機の前面開閉扉の開閉部分まで延設することによって遊技機用ケースと前面開閉扉を連結枢支する蝶番近傍の隙間からの侵入を防護することが可能となる。
【図面の簡単な説明】
【図１】本発明を適用した遊技島における遊技機内侵入防止機構の一例を示すために進入防止板の取付け状態を示す斜視図である。
【図２】図１において遊技機を設置した後の側面説明図である。
【図３】本発明を適用した遊技機内侵入防止板の一例を示すための斜視図である。
【図４】本発明を適用した遊技機内侵入防止機能を備えた遊技機用ケースの一例を示すための側面説明図である。
【図５】本発明における侵入防止板における作用状態を示す説明図である。
【図６】遊技島の形態を示す説明図である。
【図７】従来の主基板が収納されるケースの侵入防止手段の一例を示す説明図である。
【図８】電源ボックスの取り付け状態を示す説明図である。
【符号の説明】
１      遊技島
２      テーブル
３      仕切り壁
４      遊技機用収納部
５      侵入防止板
６      取付け板
７      ネジ穴
８      遊技機
９      遊技機用ケース
１０    前面開閉扉
１１    電源ボックス
【図１】
2004201924.tif 000003
【図２】
2004201924.tif 000004
【図３】
2004201924.tif 000005
【図４】
2004201924.tif 000006
【図５】
2004201924.tif 000007
【図６】
2004201924.tif 000008
【図７】
2004201924.tif 000009
【図８】
2004201924.tif 000010